(57)【要約】【課題】保管性や携行性が良好で、かつ測定用リードを容易に交換可能な携帯型測定器を提供する。【解決手段】正面側の一面Ｆ２ａに表示部１３が配設されたケーシング１１を有する測定器本体２を備えると共に、ケーシング１１に対する着脱が可能なコネクタ部２２が配設された測定用リード３を一対備え、ケーシング１１は、コネクタ部２２を嵌入可能なコネクタ嵌入部１５が正面視における周縁部に設けられ、コネクタ嵌入部１５は、嵌入された状態のコネクタ部２２における正面側の一面Ｆ３ａおよび背面側の一面を挟持してコネクタ部２２を側方に引き抜き可能に正面視におけるケーシング１１の周縁部が内側に向かって凹んだ切欠き形状に形成され、測定用リード３，３は、コネクタ嵌入部１５に嵌入された状態のコネクタ部２２における側面側の一面Ｆ３ｃから側方に向かって信号線２３，２３が引き出された状態となるように構成されている。【選択図】図３
2019203880.tif 000002
【特許請求の範囲】
【請求項１】
測定回路が収容され、かつ正面側の一面に表示部が配設されたケーシングを有する測定器本体を備えると共に、測定対象に接触可能な接触子が信号線の一端部に配設され、かつ前記ケーシングに対する着脱が可能なコネクタ部が当該信号線の他端部に配設された測定用リードを一対備え、
前記ケーシングは、前記正面側の一面と背面側の一面との間の第１の長さが、正面視における最小幅部の第２の長さよりも短くなるように形成されると共に、前記コネクタ部を嵌入可能なコネクタ嵌入部が正面視における周縁部に設けられ、
前記コネクタ嵌入部は、嵌入された状態の前記コネクタ部における正面側の一面および背面側の一面を挟持して当該コネクタ部を側方に引き抜き可能に正面視における前記ケーシングの前記周縁部が内側に向かって凹んだ切欠き形状に形成され、
一対の前記測定用リードは、前記コネクタ嵌入部に嵌入された状態の前記コネクタ部における側面側の一面から側方に向かって前記信号線が引き出された状態となるように構成されている携帯型測定器。
【請求項２】
一方の前記測定用リードにおける前記コネクタ部と他方の前記測定用リードにおける前記コネクタ部とが一体形成されている請求項１記載の携帯型測定器。
【請求項３】
前記ケーシングおよび前記一対の測定用リードは、前記コネクタ嵌入部に前記コネクタ部を嵌入した状態において当該ケーシングにおける前記正面側の一面と当該コネクタ部における前記正面側の一面とが面一となるように形成されている請求項１または２記載の携帯型測定器。
【請求項４】
前記ケーシングおよび前記一対の測定用リードは、前記コネクタ嵌入部に前記コネクタ部を嵌入した状態において当該ケーシングにおける前記背面側の一面と当該コネクタ部における前記背面側の一面とが面一となるように形成されている請求項１から３のいずれかに記載の携帯型測定器。
【請求項５】
前記ケーシングおよび前記一対の測定用リードは、前記コネクタ嵌入部に前記コネクタ部を嵌入した状態において当該ケーシングにおける当該コネクタ嵌入部が形成された側面側の一面と前記コネクタ部における前記側面側の一面とが面一となるように形成されている請求項１から４のいずれかに記載の携帯型測定器。
【請求項６】
前記コネクタ部は、前記コネクタ嵌入部に嵌入されたときに前記ケーシングに接触するケーシング接触部が弾性樹脂材料で形成されている請求項１から５のいずれかに記載の携帯型測定器。
【請求項７】
前記ケーシングは、前記コネクタ嵌入部に前記コネクタ部が嵌入されたときに前記ケーシング接触部が接触するコネクタ接触部が、当該ケーシング接触部よりも高硬度の材料で形成されている請求項６記載の携帯型測定器。
【請求項８】
前記測定器本体は、前記測定回路に接続されると共に前記測定用リードの前記信号線を接続可能に前記ケーシング内に配設されたピン状の本体側接続用金具を備え、
前記コネクタ部は、前記本体側接続用金具を圧入可能な筒状に形成されて前記信号線の前記他端部に接続されたリード側接続用金具を備え、かつ当該本体側接続用金具の圧入によって拡径させられた当該リード側接続用金具の縮径方向への復元力によって当該リード側接続用金具の内周面が当該本体側接続用金具の外周面に付勢された状態となるように構成されると共に、当該リード側接続用金具の外周面に接する部位が前記弾性樹脂材料で形成されている請求項６または７記載の携帯型測定器。
【発明の詳細な説明】
【技術分野】
【０００１】
本発明は、測定器本体のケーシングに対して脱着可能に構成された一対の測定用リードを有する携帯型測定器に関するものである。
【背景技術】
【０００２】
電圧値、電流値および抵抗値などの電気的パラメータを測定可能に構成された携帯型の測定器には、例えば、下記の特許文献に従来の技術として開示されているディジタルマルチメータ（携帯型測定器：以下、「ＤＭＭ」ともいう）のうちの図３に示されているＤＭＭのように、ＤＭＭ本体（測定器本体）と測定用プローブ（測定用リード）とが別体に形成されて測定作業に際してＤＭＭ本体に測定用プローブを装着するタイプの製品（以下、「別体型ＤＭＭ」ともいう）と、同文献の図４に示されているＤＭＭのように、ＤＭＭ本体と測定用プローブとが一体に形成されている（測定用プローブがＤＭＭ本体内の電気回路（測定回路）に対して固定的に接続されている）タイプの製品（以下、「一体型ＤＭＭ」ともいう）とが存在する。
【０００３】
この場合、別体型ＤＭＭでは、測定用プローブの基端部を挿入可能な挿入孔がＤＭＭ本体における正面側の一面（表示部や操作部が配設されている面）に設けられており、この挿入孔に測定用プローブの基端部を挿入することでＤＭＭ本体内の電気回路に測定用プローブが接続される。また、一体型ＤＭＭでは、電気回路に対して固定的に接続された測定用プローブがＤＭＭ本体の側面側の一面（同文献の例では、右側面下方寄り）から引き出されている。なお、同文献に開示の発明に係るＤＭＭ（同文献における図１，２に示されているＤＭＭ）では、非使用時に測定用プローブを巻回しておく巻取部がＤＭＭ本体の側方に配設されている点を除き、上記の別体型ＤＭＭおよび一体型ＤＭＭと同様に構成されている。
【先行技術文献】
【特許文献】
【０００４】
【特許文献１】特開平３−０１８７６２号公報（第１−３頁、第１−４図）
【発明の概要】
【発明が解決しようとする課題】
【０００５】
ところが、上記特許文献に開示されている測定器には、以下のような問題点が存在する。
【０００６】
具体的には、上記特許文献に開示されている別体型ＤＭＭでは、ＤＭＭ本体における正面側の一面に設けられた挿入孔に測定用プローブを挿入する構成のため、挿入孔に挿入した測定用プローブ（コネクタ部や信号線）がＤＭＭ本体の正面側に向かって突出した状態となる。この場合、別体型ＤＭＭでは、測定用プローブをＤＭＭ本体に装着したまま保管したり携行したりすることが広く行われている。しかしながら、ＤＭＭ本体から正面側に向かって測定用プローブ（コネクタ部や信号線）が突出した状態では、保管性や携行性が低下している。また、測定用プローブをＤＭＭ本体に装着した状態では、保管時や携行時に測定用プローブにおけるコネクタ部や信号線（コネクタ部の近傍）に外力が加わり、コネクタ部の破損や信号線の断線が生じ易くなっている。
【０００７】
一方、上記特許文献に開示されている一体型ＤＭＭでは、測定用プローブの信号線がＤＭＭ本体の側方に向かって引き出されているため、上記の別体型ＤＭＭと比較して、保管性や携行性が向上している。この場合、一体型ＤＭＭにおいても、測定用プローブの信号線におけるＤＭＭ本体からの引出し部の近傍に外力が加わって信号線の断線が生じ易くなっている。しかしながら、一体型ＤＭＭでは、測定用プローブ（信号線）がＤＭＭ本体内の電気回路に固定的に接続されているため、信号線が断線した測定用プローブを新しい測定用プローブに交換するには、ＤＭＭ本体を分解して信号線を接続し直す必要がある。このため、実質的には、そのような修理が困難なことから、信号線の断線の発生が製品の耐用寿命となっている現状がある。
【０００８】
本発明は、かかる問題点に鑑みてなされたものであり、保管性や携行性が良好で、かつ測定用リードを容易に交換可能な携帯型測定器を提供することを主目的とする。
【課題を解決するための手段】
【０００９】
上記目的を達成すべく、請求項１記載の携帯型測定器は、測定回路が収容され、かつ正面側の一面に表示部が配設されたケーシングを有する測定器本体を備えると共に、測定対象に接触可能な接触子が信号線の一端部に配設され、かつ前記ケーシングに対する着脱が可能なコネクタ部が当該信号線の他端部に配設された測定用リードを一対備え、前記ケーシングは、前記正面側の一面と背面側の一面との間の第１の長さが、正面視における最小幅部の第２の長さよりも短くなるように形成されると共に、前記コネクタ部を嵌入可能なコネクタ嵌入部が正面視における周縁部に設けられ、前記コネクタ嵌入部は、嵌入された状態の前記コネクタ部における正面側の一面および背面側の一面を挟持して当該コネクタ部を側方に引き抜き可能に正面視における前記ケーシングの前記周縁部が内側に向かって凹んだ切欠き形状に形成され、一対の前記測定用リードは、前記コネクタ嵌入部に嵌入された状態の前記コネクタ部における側面側の一面から側方に向かって前記信号線が引き出された状態となるように構成されている。
【００１０】
また、請求項２記載の携帯型測定器は、請求項１記載の携帯型測定器において、一方の前記測定用リードにおける前記コネクタ部と他方の前記測定用リードにおける前記コネクタ部とが一体形成されている。
【００１１】
さらに、請求項３記載の携帯型測定器は、請求項１または２記載の携帯型測定器において、前記ケーシングおよび前記一対の測定用リードは、前記コネクタ嵌入部に前記コネクタ部を嵌入した状態において当該ケーシングにおける前記正面側の一面と当該コネクタ部における前記正面側の一面とが面一となるように形成されている。
【００１２】
さらに、請求項４記載の携帯型測定器は、請求項１から３のいずれかに記載の携帯型測定器において、前記ケーシングおよび前記一対の測定用リードは、前記コネクタ嵌入部に前記コネクタ部を嵌入した状態において当該ケーシングにおける前記背面側の一面と当該コネクタ部における前記背面側の一面とが面一となるように形成されている。
【００１３】
さらに、請求項５記載の携帯型測定器は、請求項１から４のいずれかに記載の携帯型測定器において、前記ケーシングおよび前記一対の測定用リードは、前記コネクタ嵌入部に前記コネクタ部を嵌入した状態において当該ケーシングにおける当該コネクタ嵌入部が形成された側面側の一面と前記コネクタ部における前記側面側の一面とが面一となるように形成されている。
【００１４】
また、請求項６記載の携帯型測定器は、請求項１から５のいずれかに記載の携帯型測定器において、前記コネクタ部は、前記コネクタ嵌入部に嵌入されたときに前記ケーシングに接触するケーシング接触部が弾性樹脂材料で形成されている。
【００１５】
さらに、請求項７記載の携帯型測定器は、請求項６記載の携帯型測定器において、前記ケーシングは、前記コネクタ嵌入部に前記コネクタ部が嵌入されたときに前記ケーシング接触部が接触するコネクタ接触部が、当該ケーシング接触部よりも高硬度の材料で形成されている。
【００１６】
また、請求項８記載の携帯型測定器は、請求項６または７記載の携帯型測定器において、前記測定器本体は、前記測定回路に接続されると共に前記測定用リードの前記信号線を接続可能に前記ケーシング内に配設されたピン状の本体側接続用金具を備え、前記コネクタ部は、前記本体側接続用金具を圧入可能な筒状に形成されて前記信号線の前記他端部に接続されたリード側接続用金具を備え、かつ当該本体側接続用金具の圧入によって拡径させられた当該リード側接続用金具の縮径方向への復元力によって当該リード側接続用金具の内周面が当該本体側接続用金具の外周面に付勢された状態となるように構成されると共に、当該リード側接続用金具の外周面に接する部位が前記弾性樹脂材料で形成されている。
【発明の効果】
【００１７】
請求項１記載の携帯型測定器では、ケーシングにおける正面側の一面と背面側の一面との間の第１の長さが、正面視におけるケーシングの最小幅部の第２の長さよりも短くなるようにケーシングが形成されると共に、コネクタ部を嵌入可能なコネクタ嵌入部が正面視におけるケーシングの周縁部に設けられて測定器本体が構成され、嵌入された状態のコネクタ部における正面側の一面および背面側の一面を挟持してコネクタ部を側方に引抜き可能に正面視におけるケーシングの周縁部が内側に向かって凹んだ切欠き形状にコネクタ嵌入部が形成されると共に、コネクタ嵌入部に嵌入された状態のコネクタ部から側方に向かって信号線が引き出された状態となるように測定用リードが構成されている。
【００１８】
したがって、請求項１記載の携帯型測定器によれば、コネクタ嵌入部にコネクタ部を嵌入して測定器本体（ケーシング）に両測定用リードを装着した状態において両測定用リードが測定器本体の正面側に向かって突出した状態とはならないため、測定器本体に測定用リードを装着した状態における保管性や携行性を十分に向上させることができると共に、測定器本体の正面側に向かって測定用リードが突出した状態と比較して測定用リード（コネクタ部や信号線）に意図しない外力が加わり難くなっているため、コネクタ部の破損や信号線の断線を好適に回避することができる。また、劣化した測定用リードを交換するときや、接触子の種類等が異なる他の測定用リードを使用するときに、コネクタ嵌入部からのコネクタ部の引き抜きやコネクタ嵌入部へのコネクタ部の嵌入を容易に行うことができるため、携帯型測定器を長期に亘って好適な状態で使用することができ、また、測定対象に対して好適に接触させ得る任意の接触子を有する測定用リードを使用して好適に測定作業を実施することができる。
【００１９】
また、請求項２記載の携帯型測定器によれば、一方の測定用リードにおけるコネクタ部と他方の測定用リードにおけるコネクタ部とを一体形成したことにより、測定用リード毎に独立したコネクタ部を備えた構成とは異なり、１回の引抜き操作によって両測定用リードを測定器本体から取り外すことができ、１回の嵌入操作によって両測定用リードを測定器本体に対して装着することができるため、測定器本体（ケーシング）に対する測定用リードの脱着を一層容易とすることができる。
【００２０】
さらに、請求項３記載の携帯型測定器では、コネクタ嵌入部にコネクタ部を嵌入した状態においてケーシングにおける正面側の一面とコネクタ部における正面側の一面とが面一となるようにケーシングおよび一対の測定用リードが形成されている。また、請求項４記載の携帯型測定器では、コネクタ嵌入部にコネクタ部を嵌入した状態においてケーシングにおける背面側の一面とコネクタ部における背面側の一面とが面一となるようにケーシングおよび一対の測定用リードが形成されている。
【００２１】
したがって、請求項３，４記載の携帯型測定器によれば、コネクタ嵌入部に嵌入した状態におけるコネクタ部の正面側の一面や背面側の一面がケーシングにおける正面側の一面や背面側の一面よりも測定器本体の厚み方向内側に位置した状態となる構成とは異なり、測定器本体（ケーシング）に対する測定用リードの脱着に際してコネクタ部の正面側の一面および背面側の一面を確実かつ容易に挟持することができ、コネクタ嵌入部に嵌入した状態におけるコネクタ部の正面側の一面や背面側の一面がケーシングにおける正面側の一面や背面側の一面よりも測定器本体の厚み方向外側に位置した状態となる構成とは異なり、ケーシングの両一面からコネクタ部が突出しないため、装着されている測定用リードが引っ掛かって測定器本体（ケーシング）から外れる事態を好適に回避することができる。
【００２２】
また、請求項５記載の携帯型測定器によれば、コネクタ嵌入部にコネクタ部を嵌入した状態においてケーシングにおけるコネクタ嵌入部が形成された側面側の一面とコネクタ部における側面側の一面とが面一となるようにケーシングおよび一対の測定用リードを形成したことにより、コネクタ嵌入部に嵌入した状態におけるコネクタ部の側面側の一面が測定器本体の側面側の一面よりも外側に位置した状態となる構成とは異なり、測定器本体の側面側の一面からコネクタ部が突出しないため、装着されている測定用リードが引っ掛かって測定器本体から外れる事態を好適に回避することができ、コネクタ嵌入部に嵌入した状態におけるコネクタ部の側面側の一面が測定器本体の側面側の一面よりも外側に位置した状態および内側に位置した状態のいずれの状態と比較しても、正面視における測定器本体（ケーシング）と測定用リード（コネクタ部）との一体感を向上させて携帯型測定器の製品価値を十分に向上させることができる。
【００２３】
また、請求項６記載の携帯型測定器では、コネクタ部においてコネクタ嵌入部に嵌入されたときにケーシングに接触するケーシング接触部を弾性樹脂材料で形成したことにより、コネクタ嵌入部からコネクタ部を離脱させようとする外力が加わったときにコネクタ部が弾性変形する。これにより、この携帯型測定器によれば、信号線のコネクタ部内とコネクタ部外との境界部位に外力が集中する事態が回避される結果、信号線の断線を好適に回避することができると共に、コネクタ部（ケーシング接触部）の弾性変形によってケーシング（コネクタ接触部）に対するコネクタ部の実接触面積が増加し、ケーシングに対するコネクタ部の摩擦力が増加するため、コネクタ嵌入部からコネクタ部を離脱させるのに要する力が増加する結果、コネクタ嵌入部からのコネクタ部の意図しない離脱を好適に回避することができる。
【００２４】
さらに、請求項７記載の携帯型測定器によれば、ケーシングにおいてコネクタ嵌入部にコネクタ部が嵌入されたときにケーシング接触部が接触するコネクタ接触部を、ケーシング接触部よりも高硬度の材料で形成したことにより、コネクタ嵌入部からコネクタ部を離脱させようとする外力が加わったときにケーシング（コネクタ接触部）が大きく変形することがないため、コネクタ部（ケーシング接触部）が十分に弾性変形する結果、ケーシングに対するコネクタ部の摩擦力を十分に増加させることができるため、コネクタ嵌入部からのコネクタ部の意図しない離脱を一層好適に回避することができる。
【００２５】
また、請求項８記載の携帯型測定器では、コネクタ部が、測定器本体に配設されたピン状の本体側接続用金具を圧入可能な筒状に形成されたリード側接続用金具を備え、かつ本体側接続用金具の圧入によって拡径させられたリード側接続用金具の縮径方向への復元力によってリード側接続用金具の内周面が本体側接続用金具の外周面に付勢された状態となるように構成されると共に、リード側接続用金具の外周面に接する部位が弾性樹脂材料で形成されている。したがって、請求項８記載の携帯型測定器によれば、本体側接続用金具の圧入によってリード側接続用金具が拡径させられたときに、リード側接続用金具に接している弾性樹脂材料が圧縮変形させられるため、弾性樹脂材料の復元力がリード側接続用金具自身の縮径方向への復元力と相俟って働いて本体側接続用金具の外周面に対してリード側接続用金具の内周面を十分な力で押し付けられた状態とすることができる結果、本体側接続用金具からのリード側接続用金具の離脱、すなわち、コネクタ嵌入部からのコネクタ部の意図しない離脱（測定器本体からの測定用リードの抜け）を一層好適に回避することができる。
【図面の簡単な説明】
【００２６】
【図１】測定器本体２に測定用リード３を装着した状態における測定器１の正面側の外観斜視図である。
【図２】測定器本体２に測定用リード３を装着した状態における測定器１の背面側の外観斜視図である。
【図３】測定器本体２から測定用リード３を取り外した状態における測定器１の正面側の外観斜視図である。
【図４】測定器本体２から測定用リード３を取り外した状態における測定器１の背面側の外観斜視図である。
【図５】測定器本体２に測定用リード３を装着した状態の測定器１の正面図である。
【図６】測定器本体２に測定用リード３を装着した状態の測定器１の側面図である。
【図７】測定器本体２から測定用リード３を取り外した状態の測定器１の正面図である。
【図８】測定器本体２から測定用リード３を取り外した状態の測定器１の側面図である。
【図９】測定器本体２およびコネクタ部２２の内部構造について説明するための一部透過斜視図である。
【図１０】測定器本体２およびコネクタ部２２の内部構造について説明するための断面図である。
【発明を実施するための形態】
【００２７】
以下、携帯型測定器の実施の形態について、添付図面を参照して説明する。
【００２８】
図１〜８に示す測定器１は、「携帯型測定器」の一例であるカード型デジタルマルチメータであって、測定器本体２、および一対の測定用リード３，３を備え、電圧値、電流値および抵抗値などの各種電気的パラメータを測定可能に構成されている。
【００２９】
測定器本体２は、「測定器本体」の一例であって、図示しない測定回路を収容するケーシング１１を備えている。この場合、図１，３，５，７に示すように、ケーシング１１における正面側の一面Ｆ２ａには、操作部１２および表示部１３が配設されている。また、図９，１０に示すように、測定器本体２は、測定回路（図示せず）に接続されると共に測定用リード３，３の後述する信号線２３，２３を接続可能にケーシング１１内に配設されたピン状の接続用金具１１ａ，１１ａ（「本体側接続用金具」の一例）を備えている。なお、両図では、電圧検出部１１、および測定用リード３，３の後述するコネクタ部２２の内部構造についての理解を容易とするために、ケーシング１１およびコネクタ部２２の一部を透過させて破線で図示している。
【００３０】
一方、測定用リード３は、「測定用リード」の一例であって、図１〜４に示すように、測定対象に接触可能なピン状の（プローブ状の）接触子２１が信号線２３の一端部に配設され、かつケーシング１１に対する着脱が可能なコネクタ部２２が信号線２３の他端部に配設されている。また、図９，１０に示すように、コネクタ部２２は、上記の接続用金具１１ａ，１１ａを圧入可能な筒状に形成されて信号線２３，２３の他端部にそれぞれ接続された接続用金具２２ａ，２２ａ（「リード側接続用金具」の一例）を備えると共に、接続用金具１１ａの圧入によって拡径させられた接続用金具２２ａの縮径方向への復元力によって接続用金具２２ａの内周面が接続用金具１１ａの外周面に付勢された状態となるように構成されている。
【００３１】
この場合、本例の測定器１では、一方の測定用リード３における「コネクタ部」と他方の測定用リード３における「コネクタ部」とが一体形成されたコネクタ部２２を備えている。つまり、本例の測定器１では、１つのコネクタ部２２から２本の信号線２３，２３が引き出されており、両測定用リード３，３の他端部が１つのコネクタ部２２によって一体化された状態となっている。
【００３２】
また、本例の測定器本体２では、ケーシング１１が薄厚箱状に形成されている。これにより、本例の測定器本体２では、ケーシング１１における一面Ｆ２ａと背面側の一面Ｆ２ｂとの間の長さＬ１（「第１の長さ」の一例：図６，８参照）が、正面視におけるケーシング１１の最小幅部の長さＬ２（「第２の長さ」の一例：本例では、左右方向の幅に対応する長さ：図５，７参照）よりも短くなっている。また、本例の測定器本体２では、両測定用リード３，３のコネクタ部２２を嵌入可能なコネクタ嵌入部１５（図３，４，７，８参照）が正面視におけるケーシング１１の周縁部（本例では、正面視における右端部の下方寄り）に設けられている。
【００３３】
このコネクタ嵌入部１５は、正面視におけるケーシング１１の周縁部が内側に向かって凹んだ切欠き形状に形成されている。また、コネクタ嵌入部１５は、その上下方向の幅および左右方向の幅の双方が、コネクタ嵌入部１５に嵌入された状態のコネクタ部２２における正面側の一面Ｆ３ａおよび背面側の一面Ｆ３ｂを挟持する（指で摘む）ことが可能な幅に形成されている。これにより、本例の測定器本体２（ケーシング１１）では、コネクタ部２２の一面Ｆ３ａ，Ｆ３ｂを挟持してケーシング１１から側方にコネクタ部２２を引き抜くことが可能となっている。
【００３４】
この場合、本例の測定器１では、図１，６に示すように、ケーシング１１のコネクタ嵌入部１５に測定用リード３，３のコネクタ部２２を嵌入したとき（測定器本体２に測定用リード３，３を装着したとき）に、ケーシング１１における一面Ｆ２ａとコネクタ部２２における正面側の一面Ｆ３ａとが面一となるように測定器本体２および測定用リード３，３が形成されている。また、本例の測定器１では、図２，６に示すように、ケーシング１１のコネクタ嵌入部１５に測定用リード３，３のコネクタ部２２を嵌入したときに、ケーシング１１における一面Ｆ２ｂとコネクタ部２２における背面側の一面Ｆ３ｂとが面一となるように測定器本体２および測定用リード３，３が形成されている。
【００３５】
さらに、本例の測定器１では、図１，２，５に示すように、ケーシング１１のコネクタ嵌入部１５に測定用リード３，３のコネクタ部２２を嵌入したときに、ケーシング１１におけるコネクタ嵌入部１５が形成された側面側の一面Ｆ２ｃ（本例では、右側面）とコネクタ部２２における側面側（信号線２３，２３が引き出されている側）の一面Ｆ３ｃとが面一となるように形成されている。これにより、本例の測定器１では、測定器本体２のケーシング１１におけるコネクタ嵌入部１５に測定用リード３，３のコネクタ部２２を嵌入した状態（測定器本体２に測定用リード３，３を装着した状態）において、恰もケーシング１１から側方に向かって信号線２３，２３が直接引き出されているかのように、コネクタ部２２がケーシング１１と一体化した状態となる。
【００３６】
また、本例の測定器１では、図１，２，６に示すように、コネクタ部２２がコネクタ嵌入部１５に嵌入された状態において、コネクタ部２２からケーシング１１の側方（本例では、正面視における右方）に向かって信号線２３，２３がそれぞれ引き出された状態となるように、測定用リード３，３が形成されている。
【００３７】
この場合、本例の測定器１では、一例として、上記のケーシング１１の全体がＡＢＳ樹脂やポリカーボネートなどの樹脂材料（弾性変形し難い樹脂材料）で形成されると共に、上記コネクタ部２２における接続用金具２２ａを除く部位の全体が、ウレタンゴムやシリコーンゴムなどのエラストマー（弾性変形し易い樹脂材料：「弾性樹脂材料」の一例）で形成されている（「コネクタ嵌入部に嵌入されたときにケーシングに接触するケーシング接触部」および「リード側接続用金具の外周面に接する部位」を含む「コネクタ部」の全体が「弾性樹脂材料」で形成されると共に、「コネクタ嵌入部」に「コネクタ部」が嵌入されたときに「ケーシング接触部」が接触する「コネクタ接触部」を含む「ケーシング」の全体が「ケーシング接触部よりも高硬度の材料」で形成された構成の一例）。
【００３８】
次に、測定器１の使用方法について、添付図面を参照して説明する。
【００３９】
この測定器１の使用に際しては、図１，２，５，６，１０に示すように、ケーシング１１のコネクタ嵌入部１５にコネクタ部２２を嵌入することで測定用リード３，３を測定器本体２に装着する。この際には、両測定用リード３，３の接触子２１，２１が、信号線２３，２３、およびコネクタ部２２内の接続用金具２２ａ，２２ａを介して測定器本体２内の接続用金具１１ａ，１１ａに対してそれぞれ電気的に接続され、これにより、測定用リード３，３の接触子２１，２１が、測定器本体２の測定回路に対して電気的に接続された状態となる。
【００４０】
また、前述したように、ケーシング１１の一面Ｆ２ａとコネクタ部２２の一面Ｆ３ａとが面一となり、ケーシング１１の一面Ｆ２ｂとコネクタ部２２の一面Ｆ３ｂとが面一となり、かつケーシング１１の一面Ｆ２ｃとコネクタ部２２の一面Ｆ３ｃとが面一となる。これにより、ケーシング１１およびコネクタ部２２が一体化した状態となり、恰もケーシング１１の一面Ｆ２ａから側方に向かって信号線２３，２３が直接引き出されているかのような状態となる。
【００４１】
したがって、本例の測定器１では、従来の別体型ＤＭＭとは異なり、測定器本体２に測定用リード３，３を装着した状態において測定用リード３，３が測定器本体２の正面側に向かって突出した状態とはならないため、その保管性や携行性が従来の別体型ＤＭＭよりも向上している。また、測定器本体２に装着した測定用リード３，３の信号線２３，２３は、測定器本体２の側方に向かって引き出されたかのような状態となっているため、従来の別体型ＤＭＭと比較して、信号線２３における測定器本体２への装着部の近傍に意図しない外力が加わり難くなっている。
【００４２】
さらに、前述のように、測定用リード３，３のコネクタ部２２における接続用金具２２ａ，２２ａを除く部位が弾性樹脂材料で形成されているため、信号線２３，２３における測定器本体２への装着部の近傍（すなわち、コネクタ部２２の近傍）に意図しない外力が加わったとしても、この弾性樹脂材料で形成する部位が信号線２３，２３と共に変形させられるため、信号線２３，２３におけるコネクタ部２２内と、信号線２３，２３におけるコネクタ部２２外との境界部位に外力が集中する事態が回避される。これにより、測定器本体２に測定用リード３，３を装着した状態での保管時や携行時に信号線２３，２３に断線が生じ難くなっている。
【００４３】
一方、測定器１による測定作業時には、測定器本体２に測定用リード３，３を装着した状態のまま、測定器本体２の操作部１２を操作して電源を投入し、任意の測定モード（電圧値測定モード、電流値測定モードおよび抵抗値測定モード等）に切り替える。次いで、両測定用リード３，３の接触子２１，２１を測定対象に接触させる。この際には、信号線２３，２３を介して接触子２１，２１に接続されている測定回路による測定処理が実行され、その測定結果が表示部１３に表示される。また、測定作業の完了時には、操作部１２を操作して電源を遮断する。
【００４４】
この場合、測定器１を長期に亘って使用したときには、接触子２１の先端部に傷付きや摩耗が生じたり信号線２３に断線が生じたりすることがある。このような場合には、劣化した測定用リード３，３を測定器本体２から取り外して新しい測定用リード３，３を測定器本体２に装着する。
【００４５】
具体的には、まず、測定器本体２を一方の手で持ち、測定器本体２に装着されている測定用リード３，３のコネクタ部２２における一面Ｆ３ａ，Ｆ３ｂを他方の手で挟持する（コネクタ部２２を指で摘まむ）。次いで、図３，４，７に示すように、コネクタ嵌入部１５からコネクタ部２２を側方に引き抜く。これにより、劣化した測定用リード３，３の測定器本体２からの取り外しが完了する。続いて、測定器本体２を一方の手で持ち、新しい測定用リード３，３のコネクタ部２２における一面Ｆ３ａ，Ｆ３ｂを他方の手で挟持する（コネクタ部２２を指で摘まむ）。次いで、図１，２，５，６に示すように、コネクタ嵌入部１５に対してコネクタ部２２を側方から嵌入する。これにより、新しい測定用リード３，３の測定器本体２に対する装着が完了して、測定用リード３，３の交換作業が完了する。
【００４６】
また、本例の測定器１では、測定用リード３，３を両手で持った状態で測定作業を行うのが困難なときに、ピン状の（プローブ状の）接触子２１を有する上記の測定用リード３に代えて、信号線２３の一端部に鰐口クリップ（「接触子」の他の一例）が配設された「測定用リード」（図示せず）を測定器本体２に装着して使用することが可能に構成されている。この場合、鰐口クリップを備えた「測定用リード」は、「接触子」の形状が異なるだけで上記の測定用リード３と同様に構成されているため、コネクタ部２２や信号線２３についての詳細な説明を省略する。
【００４７】
このような「測定用リード」を使用する際には、劣化した測定用リード３，３の交換作業時と同様にして、測定器本体２に装着されている測定用リード３，３のコネクタ部２２における一面Ｆ３ａ，Ｆ３ｂを他方の手で挟持してコネクタ嵌入部１５から側方に引き抜く。次いで、鰐口クリップを備えた「測定用リード」のコネクタ部２２における一面Ｆ３ａ，Ｆ３ｂを他方の手で挟持してコネクタ嵌入部１５に対して側方から嵌入する。これにより、測定用リード３，３から鰐口クリップを備えた「測定用リード」への交換作業が完了する。
【００４８】
この場合、本例の測定器１では、測定器本体２に対して測定用リード３，３を装着する（コネクタ嵌入部１５に対してコネクタ部２２を嵌入する）ことで、コネクタ部２２の接続用金具２２ａ，２２ａ内に測定器本体２の接続用金具１１ａ，１１ａが圧入したときに、接続用金具２２ａ，２２ａが拡径させられる。この際には、接続用金具２２ａ，２２ａの縮径方向への復元力によって接続用金具２２ａ，２２ａの内周面が接続用金具１１ａ，１１ａの外周面に付勢された状態となる。
【００４９】
これにより、本例の測定器１では、接続用金具１１ａ，２２ａ間の接触抵抗が十分に小さくなり、測定器本体２内の測定回路に測定用リード３，３の接触子２１，２１が確実に接続される。また、測定用リード３，３が引っ張られるなどしてコネクタ嵌入部１５からのコネクタ部２２を引き抜こうとする外力が加わったときにも、接続用金具２２ａ，２２ａの内周面が接続用金具１１ａ，１１ａの外周面に付勢された状態となっていることでコネクタ嵌入部１５からのコネクタ部２２の離脱が規制されるため、測定器本体２からの測定用リード３，３の意図しない抜けが回避される。
【００５０】
また、前述したように、本例の測定器１では、コネクタ部２２がエラストマーなどの弾性樹脂材料で形成され、ケーシング１１がＡＢＳ樹脂やポリカーボネートなどの弾性変形し難い樹脂材料で形成されている。したがって、ケーシング１１のコネクタ嵌入部１５にコネクタ部２２が嵌入されている状態で測定用リード３，３が引っ張られるなどして、ケーシング１１に対してコネクタ部２２を真横以外の向き（正規な手順でコネクタ嵌入部１５からコネクタ部２２を離脱させる際の移動方向以外の向き）に移動させようとする力が加わったときには、コネクタ部２２における「ケーシング接触部」をケーシング１１における「コネクタ接触部」に押し付ける向きの力によって、コネクタ嵌入部１５が殆ど変形せずに、コネクタ部２２がコネクタ嵌入部１５内で弾性変形させられる。
【００５１】
この結果、ケーシング１１（コネクタ接触部）に対するコネクタ部２２（ケーシング接触部）の実接触面積が増加してケーシング１１に対するコネクタ部２２の摩擦力が増加するため、コネクタ嵌入部１５からコネクタ部２２を離脱させるのに要する力が増加する。これにより、コネクタ嵌入部１５からのコネクタ部２２の意図しない離脱（測定器本体２からの測定用リード３，３の抜け）が一層好適に回避される。
【００５２】
この場合、コネクタ部２２の幅（図７に示す長さＬ３）を、コネクタ嵌入部１５の幅（図７に示す長さＬ４）よりも僅かに広くする（僅かに長くする）ことで、上記のように測定用リード３，３が引っ張られたときだけでなく、コネクタ嵌入部１５にコネクタ部２２を嵌入した時点でコネクタ部２２における「ケーシング接触部」が圧縮変形させられ、これにより、「ケーシング接触部」をケーシング１１における「コネクタ接触部」に十分な力で押し付けた状態とすることが可能となる。したがって、コネクタ部２２の幅をコネクタ嵌入部１５の幅よりも僅かに広くすることで、コネクタ嵌入部１５からのコネクタ部２２の意図しない離脱（測定器本体２からの測定用リード３，３の抜け）が一層好適に回避される。
【００５３】
また、コネクタ部２２における接続用金具２２ａ，２２ａの外周面に接する部位が弾性樹脂材料で形成されている本例の測定器１（測定用リード３，３）では、前述のようにコネクタ嵌入部１５に対するコネクタ部２２の嵌入時に接続用金具１１ａ，１１ａの圧入によって接続用金具２２ａ，２２ａが拡径させられたときに、接続用金具２２ａ，２２ａに接している部位の弾性樹脂材料が圧縮変形させられる。この際には、接続用金具２２ａ，２２ａを縮径させる向きで弾性樹脂材料の復元力が生じるため、接続用金具２２ａ，２２ａ自身の復元力と相俟って、接続用金具２２ａ，２２ａの内周面が接続用金具１１ａ，１１ａの外周面に十分な力で押し付けられた状態となる。これにより、コネクタ嵌入部１５からのコネクタ部２２の意図しない離脱（測定器本体２からの測定用リード３，３の抜け）が一層好適に回避される。
【００５４】
一方、利用者が意図して測定器本体２から測定用リード３，３を取り外すときには、ケーシング１１に対してコネクタ部２２を真横向きに正しく移動させることにより、コネクタ部２２における「ケーシング接触部」がケーシング１１における「コネクタ接触部」に押し付けられる力が働かないため、コネクタ嵌入部１５およびコネクタ部２２の双方が殆ど変形しない。この結果、ケーシング１１（コネクタ接触部）に対するコネクタ部２２（ケーシング接触部）の実接触面積が大きく変化せずに、ケーシング１１に対するコネクタ部２２の摩擦力が増加しないため、コネクタ嵌入部１５からコネクタ部２２を容易に離脱させることができる。
【００５５】
このように、この測定器１では、ケーシング１１における正面側の一面Ｆ２ａと背面側の一面Ｆ２ｂとの間の長さＬ１が、正面視におけるケーシング１１の最小幅部の長さＬ２よりも短くなるようにケーシング１１が形成されると共に、コネクタ部２２を嵌入可能なコネクタ嵌入部１５が正面視におけるケーシング１１の周縁部に設けられて測定器本体２が構成され、嵌入された状態のコネクタ部２２における正面側の一面Ｆ３ａおよび背面側の一面Ｆ３ｂを挟持してコネクタ部２２を側方に引抜き可能に正面視におけるケーシング１１の周縁部が内側に向かって凹んだ切欠き形状にコネクタ嵌入部１５が形成されると共に、コネクタ嵌入部１５に嵌入された状態のコネクタ部２２から側方に向かって信号線２３が引き出された状態となるように測定用リード３が構成されている。
【００５６】
したがって、この測定器１によれば、コネクタ嵌入部１５にコネクタ部２２を嵌入して測定器本体２（ケーシング１１）に両測定用リード３，３を装着した状態において両測定用リード３，３が測定器本体２の正面側に向かって突出した状態とはならないため、測定器本体２に測定用リード３，３を装着した状態における保管性や携行性を十分に向上させることができると共に、測定器本体２の正面側に向かって測定用リード３，３が突出した状態と比較して測定用リード３（コネクタ部２２や信号線２３，２３）に意図しない外力が加わり難くなっているため、コネクタ部２２の破損や信号線２３の断線を好適に回避することができる。また、劣化した測定用リード３，３を交換するときや、「接触子」の種類等が異なる他の「測定用リード」を使用するときに、コネクタ嵌入部１５からのコネクタ部２２の引き抜きやコネクタ嵌入部１５へのコネクタ部２２の嵌入を容易に行うことができるため、測定器１を長期に亘って好適な状態で使用することができ、また、測定対象に対して好適に接触させ得る任意の「接触子」を有する「測定用リード」を使用して好適に測定作業を実施することができる。
【００５７】
また、この測定器１によれば、一方の測定用リード３における「コネクタ部」と他方の測定用リード３における「コネクタ部」とを一体形成したコネクタ部２２を備えたことにより、「測定用リード」毎に独立した「コネクタ部」を備えた構成とは異なり、１回の引抜き操作によって両測定用リード３，３を測定器本体２から取り外すことができ、１回の嵌入操作によって両測定用リード３，３を測定器本体２に対して装着することができるため、測定器本体２（ケーシング１１）に対する測定用リード３，３の脱着を一層容易とすることができる。
【００５８】
さらに、この測定器１では、コネクタ嵌入部１５にコネクタ部２２を嵌入した状態においてケーシング１１における正面側の一面Ｆ２ａとコネクタ部２２における正面側の一面Ｆ３ａとが面一となるようにケーシング１１および一対の測定用リード３，３が形成されている。また、この測定器１では、コネクタ嵌入部１５にコネクタ部２２を嵌入した状態においてケーシング１１における背面側の一面Ｆ２ｂとコネクタ部２２における背面側の一面Ｆ３ｂとが面一となるようにケーシング１１および一対の測定用リード３，３が形成されている。
【００５９】
したがって、この測定器１によれば、コネクタ嵌入部１５に嵌入した状態におけるコネクタ部２２の一面Ｆ３ａ，Ｆ３ｂがケーシング１１の一面Ｆ２ａ，Ｆ２ｂよりも測定器本体２の厚み方向内側に位置した状態となる構成とは異なり、測定器本体２（ケーシング１１）に対する測定用リード３，３の脱着に際してコネクタ部２２の一面Ｆ３ａ，Ｆ３ｂを確実かつ容易に挟持することができ、コネクタ嵌入部１５に嵌入した状態におけるコネクタ部２２の一面Ｆ３ａ，Ｆ３ｂがケーシング１１の一面Ｆ２ａ，Ｆ２ｂよりも測定器本体２の厚み方向外側に位置した状態となる構成とは異なり、ケーシング１１の一面Ｆ２ａ，Ｆ２ｂからコネクタ部２２が突出しないため、装着されている測定用リード３，３が引っ掛かって測定器本体２（ケーシング１１）から外れる事態を好適に回避することができる。
【００６０】
また、この測定器１によれば、コネクタ嵌入部１５にコネクタ部２２を嵌入した状態においてケーシング１１におけるコネクタ嵌入部１５が形成された側面側の一面Ｆ２ｃとコネクタ部２２における側面側の一面Ｆ３ｃとが面一となるようにケーシング１１および一対の測定用リード３，３を形成したことにより、コネクタ嵌入部１５に嵌入した状態におけるコネクタ部２２の一面Ｆ３ｃが測定器本体２の一面Ｆ２ｃよりも外側に位置した状態となる構成とは異なり、測定器本体２の一面Ｆ２ｃからコネクタ部２２が突出しないため、装着されている測定用リード３，３が引っ掛かって測定器本体２から外れる事態を好適に回避することができ、コネクタ嵌入部１５に嵌入した状態におけるコネクタ部２２の一面Ｆ３ｃが測定器本体２の一面Ｆ２ｃよりも外側に位置した状態および内側に位置した状態のいずれの状態と比較しても、正面視における測定器本体２（ケーシング１１）と測定用リード３，３（コネクタ部２２）との一体感を向上させて測定器１の製品価値を十分に向上させることができる。
【００６１】
また、この測定器１では、コネクタ部２２においてコネクタ嵌入部１５に嵌入されたときにケーシング１１に接触する「ケーシング接触部」（本例では、コネクタ部２２の全体）を弾性樹脂材料（本例では、ウレタンゴムやシリコーンゴムなどのエラストマー）で形成したことにより、コネクタ嵌入部１５からコネクタ部２２を離脱させようとする外力が加わったときにコネクタ部２２が弾性変形する。これにより、この測定器１によれば、信号線２３，２３のコネクタ部２２内とコネクタ部２２外との境界部位に外力が集中する事態が回避される結果、信号線２３，２３の断線を好適に回避することができると共に、コネクタ部２２（ケーシング接触部）の弾性変形によってケーシング１１（コネクタ接触部）に対するコネクタ部２２の実接触面積が増加し、ケーシング１１に対するコネクタ部２２の摩擦力が増加するため、コネクタ嵌入部１５からコネクタ部２２を離脱させるのに要する力が増加する結果、コネクタ嵌入部１５からのコネクタ部２２の意図しない離脱（測定器本体２からの測定用リード３，３の抜け）を好適に回避することができる。
【００６２】
さらに、この測定器１によれば、ケーシング１１においてコネクタ嵌入部１５にコネクタ部２２が嵌入されたときに「ケーシング接触部」が接触する「コネクタ接触部」（本例では、ケーシング１１の全体）を、「ケーシング接触部」よりも高硬度の材料（本例では、ＡＢＳ樹脂やポリカーボネート）で形成したことにより、コネクタ嵌入部１５からコネクタ部２２を離脱させようとする外力が加わったときにケーシング１１（コネクタ接触部）が大きく変形することがないため、コネクタ部２２（ケーシング接触部）が十分に弾性変形する結果、ケーシング１１に対するコネクタ部２２の摩擦力を十分に増加させることができるため、コネクタ嵌入部１５からのコネクタ部２２の意図しない離脱（測定器本体２からの測定用リード３，３の抜け）を一層好適に回避することができる。
【００６３】
また、この測定器１では、コネクタ部２２が、測定器本体２に配設されたピン状の接続用金具１１ａを圧入可能な筒状に形成された接続用金具２２ａを備え、かつ接続用金具１１ａの圧入によって拡径させられた接続用金具２２ａの縮径方向への復元力によって接続用金具２２ａの内周面が接続用金具１１ａの外周面に付勢された状態となるように構成されると共に、接続用金具２２ａの外周面に接する部位が弾性樹脂材料で形成されている。したがって、この測定器１によれば、接続用金具１１ａ，１１ａの圧入によって接続用金具２２ａ，２２ａが拡径させられたときに、接続用金具２２ａ，２２ａに接している弾性樹脂材料が圧縮変形させられるため、弾性樹脂材料の復元力が接続用金具２２ａ，２２ａ自身の縮径方向への復元力と相俟って働いて接続用金具１１ａ，１１ａの外周面に対して接続用金具２２ａ，２２ａの内周面を十分な力で押し付けられた状態とすることができる結果、接続用金具１１ａ，１１ａからの接続用金具２２ａ，２２ａの離脱、すなわち、コネクタ嵌入部１５からのコネクタ部２２の意図しない離脱（測定器本体２からの測定用リード３，３の抜け）を一層好適に回避することができる。
【００６４】
なお、「携帯型測定器」の構成は、上記の測定器１の構成の例に限定されない。例えば、測定器本体２の正面視における右端部にコネクタ嵌入部１５を設け、このコネクタ嵌入部１５に装着した測定用リード３，３の信号線２３が測定器本体２の正面視における右方に向かって引き出された状態となる構成の測定器１を例に挙げて説明したが、「正面視におけるケーシングの周縁部」は「右端部」に限定されず、「測定器本体」の正面視における「左端部」、「上端部」および「下端部」のいずれかの端部に「コネクタ嵌入部」を設け、この「コネクタ嵌入部」に装着した「測定用リード」の「信号線」が「測定器本体」正面視における「左方」、「上方」および「下方」のいずれかの向きに向かって引き出された状態となる構成を採用することもできる（図示せず）。
【００６５】
また、一方の測定用リード３における「コネクタ部」と他方の測定用リード３における「コネクタ部」とを一体形成したコネクタ部２２を備えた構成を例に挙げて説明したが、「測定用リード」毎に別個独立した「コネクタ部」を設けることもできる。このような構成の「測定用リード」を採用する場合、各「測定用リード」の「コネクタ嵌入部」を別個独立して嵌入可能な２つの「コネクタ嵌入部」を「ケーシング」に設ける構成や、両「測定用リード」の「コネクタ部」を一緒に嵌入可能な１つの「コネクタ嵌入部」を「ケーシング」に設ける構成を採用することができる（図示せず）。
【００６６】
さらに、コネクタ部２２における接続用金具２２ａ，２２ａを除く部位の全体を同じ材料（本例では、ウレタンゴムやシリコーンゴムなどのエラストマー）で形成した構成を例に挙げて説明したが、「コネクタ部」におけるコネクタ嵌入部１５に接触する部位である「ケーシング接触部」と「ケーシング接触部および接続用金具を除く部位」とを異なる材料で形成したり、「リード側接続用金具に接する部位」と「リード側接続用金具に接する部位を除く部位」とを異なる材料で形成したりすることもできる。
【００６７】
この場合、「コネクタ部」における「ケーシング接触部および接続用金具を除く部位」を「ケーシング接触部」とは異なる材料で形成したとしても、「ケーシング接触部」を「弾性樹脂材料」で形成することにより、前述の測定器１と同様にして、「コネクタ嵌入部」からの「コネクタ部」の意図しない離脱を好適に回避することができる。また、「コネクタ部」における「リード側接続用金具に接する部位を除く部位」を「リード側接続用金具に接する部位」とは異なる材料で形成したとしても、「リード側接続用金具に接する部位」を「弾性樹脂材料」で形成することにより、前述の測定器１と同様にして、「リード側接続用金具」の拡径時に弾性樹脂材料の部位が圧縮変形し、その復元力が「リード側接続用金具」を縮径させる向きに働くため、「本体側接続用金具」の外周面に対して「リード側接続用金具」の内周面を十分な力で押し付けた状態とすることができる。
【００６８】
さらに、ケーシング１１の全体を同じ材料（本例では、ＡＢＳ樹脂やポリカーボネートなど）で形成した構成を例に挙げて説明したが、「ケーシング」におけるコネクタ部２２（ケーシング接触部）が接触する部位である「コネクタ接触部」と「コネクタ接触部以外の部位」とを異なる材料で形成することもできる。この場合、「ケーシング」における「コネクタ接触部以外の部位」を、「ケーシング接触部」と同じ硬度の材料、または「ケーシング接触部」よりも低硬度の材料で形成したとしても、「コネクタ接触部がケーシング接触部よりも高硬度の材料で形成されている」との条件を満たすように「コネクタ接触部」を形成することにより、前述した測定器１と同様にして、「コネクタ嵌入部」からの「コネクタ部」の意図しない離脱を一層好適に回避することができる。
【００６９】
また、測定器本体２におけるケーシング１１のコネクタ嵌入部１５に測定用リード３のコネクタ部２２を嵌入した状態において、ケーシング１１の一面Ｆ２ａとコネクタ部２２の一面Ｆ３ａとが面一となり、ケーシング１１の一面Ｆ２ｂとコネクタ部２２の一面Ｆ３ｂとが面一となり、かつケーシング１１の一面Ｆ２ｃとコネクタ部２２の一面Ｆ３ｃとが面一となる構成の測定器１を例に挙げて説明したが、「コネクタ嵌入部」「コネクタ部」を嵌入した状態において、「ケーシング」における正面側の一面と「コネクタ部」における正面側の一面とが面一とはならない構成、「ケーシング」における背面側の一面と「コネクタ部」における背面側の一面とが面一とはならない構成、および「ケーシング」における側面側の一面と「コネクタ部」における側面側の一面とが面一とはならない構成を採用することもできる（図示せず）。
【００７０】
さらに、接続用金具１１ａ，１１ａの圧入によって拡径させられる接続用金具２２ａ，２２ａをコネクタ部２２に配設した構成を例に挙げて説明したが、ピン状の「本体側接続用金具」の圧入時に筒状の「リード側接続用金具」を拡径させることなく「本体側接続用金具」を縮径させることで、「本体側接続用金具」の復元力によって「リード側接続用金具」の内周面に「本体側接続用金具」の外周面を押し付けた状態とする構成（「本体側接続用金具」としてバナナプラグ等を採用する構成）を採用することもできる。また、「本体側接続用金具」を筒状に形成し、「リード側接続用金具」をピン状に形成することもできる。
【符号の説明】
【００７１】
１  測定器
２  測定器本体
３  測定用リード
１１  ケーシング
１１ａ，２２ａ  接続用金具
１２  操作部
１３  表示部
１５  コネクタ嵌入部
２１  接触子
２２  コネクタ部
２３  信号線
Ｆ２ａ〜Ｆ２ｃ，Ｆ３ａ〜Ｆ３ｃ  一面
Ｌ１〜Ｌ４  長さ
【図１】
2019203880.tif 000003
【図２】
2019203880.tif 000004
【図３】
2019203880.tif 000005
【図４】
2019203880.tif 000006
【図５】
2019203880.tif 000007
【図６】
2019203880.tif 000008
【図７】
2019203880.tif 000009
【図８】
2019203880.tif 000010
【図９】
2019203880.tif 000011
【図１０】
2019203880.tif 000012